(57)【要約】【課題】第１ディスプレイ部で実行されるタスクの種類によって、警告メッセージを第２ディスプレイ部にディスプレイすることにより、同時に複数のディスプレイ部を効率的に使用できるようにした移動通信端末機の警告メッセージ処理装置及びその方法を提供する。【解決手段】移動通信端末機の警告メッセージ処理装置は、警告メッセージを発生し、該発生した警告メッセージを出力する１つ以上のモジュール３０と、前記出力された警告メッセージを、第１ディスプレイ部１０で実行されるタスクの種類によって、第２ディスプレイ部２０に選択的にディスプレイする制御部４０とを含む。【選択図】図１
2006148895.tif 000002
【特許請求の範囲】
【請求項１】
警告メッセージを発生し、前記発生した警告メッセージを出力する１つ以上のモジュールと、
前記出力された警告メッセージを、第１ディスプレイ部で実行されているタスクの種類によって、第２ディスプレイ部に選択的にディスプレイする制御部と、
を含むことを特徴とする移動通信端末機の警告メッセージ処理装置。
【請求項２】
前記警告メッセージは、お知らせメッセージ、結果メッセージ又は応答メッセージの何れか１つであることを特徴とする請求項１に記載の移動通信端末機の警告メッセージ処理装置。
【請求項３】
前記１つ以上のモジュールは、呼受信、メッセージ受信、アラーム、バッテリー容量を知らせるお知らせメッセージを発生する第１モジュールを含むことを特徴とする請求項２に記載の移動通信端末機の警告メッセージ処理装置。
【請求項４】
前記１つ以上のモジュールは、ファイルのアップロードまたはダウンロード、メッセージ送信の進行状況や結果を知らせる結果メッセージを発生する第２モジュールを含むことを特徴とする請求項２に記載の移動通信端末機の警告メッセージ処理装置。
【請求項５】
前記１つ以上のモジュールは、ＵＳＳＤ（Unstructured Supplementary Services Data）、ＩＭ／ＰＴＴ（Instant Message／Push To Talk）の設定完了を知らせる応答メッセージを発生する第３モジュールを含むことを特徴とする請求項２に記載の移動通信端末機の警告メッセージ処理装置。
【請求項６】
前記タスクの種類は、オンラインサービス、各種メッセージ機能、通話機能、カメラ機能、又は各種付加サービス機能の何れか１つであることを特徴とする請求項１に記載の移動通信端末機の警告メッセージ処理装置。
【請求項７】
前記第１及び第２ディスプレイ部は、互いに異なるＬＣＤ（Liquid Crystal Display）であることを特徴とする請求項１に記載の移動通信端末機の警告メッセージ処理装置。
【請求項８】
前記第１及び第２ディスプレイ部は、１つのＬＣＤの予め決定された大きさに分割された領域であることを特徴とする請求項１に記載の移動通信端末機の警告メッセージ処理装置。
【請求項９】
警告メッセージを発生し、前記発生した警告メッセージを出力する段階と、
第１ディスプレイ部で実行されているタスクの種類を判断する段階と、
前記判断の結果によって、前記出力された警告メッセージを第２ディスプレイ部にディスプレイする段階と、
を含むことを特徴とする移動通信端末機の警告メッセージ処理方法。
【請求項１０】
前記警告メッセージは、お知らせメッセージ、結果メッセージ又は応答メッセージの何れか１つであることを特徴とする請求項９に記載の移動通信端末機の警告メッセージ処理方法。
【請求項１１】
前記警告メッセージは、第１モジュールから発生する、呼受信、メッセージ受信、アラーム、バッテリー容量を知らせるお知らせメッセージを含むことを特徴とする請求項１０に記載の移動通信端末機の警告メッセージ処理方法。
【請求項１２】
前記警告メッセージは、第２モジュールから発生する、ファイルのアップロードまたはダウンロード、メッセージ送信の進行状況や結果を知らせる結果メッセージを含むことを特徴とする請求項１０に記載の移動通信端末機の警告メッセージ処理方法。
【請求項１３】
前記警告メッセージは、第３モジュールから発生する、ＵＳＳＤ、ＩＭ／ＰＴＴの設定完了を知らせる応答メッセージを含むことを特徴とする請求項１０に記載の移動通信端末機の警告メッセージ処理方法。
【請求項１４】
前記タスクの種類は、オンラインサービス、各種メッセージ機能、通話機能、カメラ機能、又は各種付加サービス機能の何れか１つであることを特徴とする請求項９に記載の移動通信端末機の警告メッセージ処理方法。
【請求項１５】
前記ディスプレイする段階は、前記第１ディスプレイ部で実行されているタスクが画面占有タスクのとき、前記出力された警告メッセージを前記第２ディスプレイ部にディスプレイする段階を含むことを特徴とする請求項９に記載の移動通信端末機の警告メッセージ処理方法。
【請求項１６】
前記画面占有タスクは、途切れることなく持続的な画面出力が要求されるタスクであることを特徴とする請求項１５に記載の移動通信端末機の警告メッセージ処理方法。
【請求項１７】
前記画面占有タスクは、画像通話やＶｏＤ（Video on Demand）を含むことを特徴とする請求項１６に記載の移動通信端末機の警告メッセージ処理方法。
【請求項１８】
前記ディスプレイする段階は、前記第１ディスプレイ部で実行されているタスクが画面占有タスクでないとき、前記出力された警告メッセージを前記第１ディスプレイ部にディスプレイする段階をさらに含むことを特徴とする請求項１５に記載の移動通信端末機の警告メッセージ処理方法。
【発明の詳細な説明】
【技術分野】
【０００１】
本発明は、移動通信端末機に関し、特に、移動通信端末機の警告メッセージを処理するための装置及びその方法に関する。
【背景技術】
【０００２】
一般に、移動通信端末機は、ＢＳ（Base Station）により形成されるサービス領域内で移動しながら、ＭＳＣ（Mobile Switching Center）のスイッチング制御を通して、何時何処でも直ちに相手方を無線呼出及び無線接続して通信することができる装置であって、音声通信だけでなく、記号、数字及び文字などからなるデータ通信、並びに、画像信号が含まれるマルチメディア通信が可能である。
【０００３】
最近開発されている大部分の移動通信端末機は、カメラが備えられ、該カメラを通して撮像することにより、静止画像だけでなく動画像もリアルタイムに伝送できるため、画像通話のようなより幅広い活用範囲を提供できるようになった。
【０００４】
以下、このような従来の移動通信端末機のディスプレイ装置について図５を参照して説明する。図５は、従来の移動通信端末機の開状態を示す斜視図である。
【０００５】
図５に示すように、従来の移動通信端末機は、移動通信端末機が開いたときに使用者に向かうように設置された第１ディスプレイ部１０と、移動通信端末機が閉じられたときに使用者に向かうように設置された第２ディスプレイ部（図示せず）とを含む。
【０００６】
第１ディスプレイ部１０は、移動通信端末機が開いたとき、使用者により選択された機能（例えば、電話通話、画像通話、メッセージ送信／受信、静止画像／動画像撮影及びモバイルゲームなど）を行うために必要な装置で、第２ディスプレイ部は、移動通信端末機が閉じられたとき、使用者に提供される当該移動通信端末機の状態情報（例えば、電波受信強度、バイブまたは呼出音設定、アラーム設定、バッテリー容量、現在時間及び日付など）をディスプレイするために必要な装置である。
【０００７】
このような従来の移動通信端末機では、第１ディスプレイ部１０で同時に複数のタスクを実行することができない。例えば、使用者が第１ディスプレイ部１０で動画像を実行しているときに呼が受信されることがあるが、このとき、その受信された呼は、実行されている動画像と重なって一部分に表示される。すなわち使用者は、第１ディスプレイ部１０のみしか使用することができないため、該第１ディスプレイ部１０で実行されているタスクに妨害を受けることがある。
【発明の開示】
【発明が解決しようとする課題】
【０００８】
以上説明したように、従来の移動通信端末機は、第１及び第２ディスプレイ部が互いに反対方向に向かうように設置され、移動通信端末機が開状態であるか、閉状態であるかによって、第１及び第２ディスプレイ部を選択的に使用するため、同時に複数のディスプレイ装置を効率的に使用できないという問題点があった。
【０００９】
本発明は、このような従来技術の問題点を解決するためになされたもので、第１ディスプレイ部で実行されるタスクの種類によって、警告メッセージを第２ディスプレイ部にディスプレイすることにより、同時に複数のディスプレイ部を効率的に使用できるようにした移動通信端末機の警告メッセージ処理装置及びその方法を提供することを目的とする。
【課題を解決するための手段】
【００１０】
このような目的を達成するために、本発明による移動通信端末機の警告メッセージ処理装置は、警告メッセージを発生し、該発生した警告メッセージを出力する少なくとも１つ以上のモジュールと、前記出力された警告メッセージを、第１ディスプレイ部で実行されているタスクの種類によって、第２ディスプレイ部に選択的にディスプレイする制御部とを含むことを特徴とする。
【００１１】
また、本発明による移動通信端末機の警告メッセージ処理方法は、警告メッセージを発生し、該発生した警告メッセージを出力する段階と、第１ディスプレイ部で実行されているタスクの種類を判断する段階と、この判断の結果によって、前記出力された警告メッセージを第２ディスプレイ部に選択的にディスプレイする段階とを含むことを特徴とする。
【発明の効果】
【００１２】
本発明による移動通信端末機の警告メッセージ処理装置及びその方法においては、第１ディスプレイ部で実行されるタスクの種類によって、警告メッセージを第２ディスプレイ部にディスプレイすることにより、同時に複数のディスプレイ部を効率的に使用できるという効果がある。
【発明を実施するための最良の形態】
【００１３】
以下、第１ディスプレイ部で実行されているタスクの種類によって、警告メッセージを第２ディスプレイ部にディスプレイすることにより、同時に複数のディスプレイ部を効率的に使用できるようにした、本発明による移動通信端末機の警告メッセージ処理装置及びその方法の好ましい実施形態について、添付の図面を参照して説明する。
【００１４】
図１は、本発明の第１実施形態による移動通信端末機の開状態を示す斜視図である。
【００１５】
図１に示すように、本発明の第１実施形態による移動通信端末機においては、第１及び第２ディスプレイ部１０，２０が、両方とも移動通信端末機が開いたときに使用者に向かうように設置されることにより、第１ディスプレイ部１０で実行されるタスクの種類によって、警告メッセージを第２ディスプレイ部２０に選択的にディスプレイすることができる。この警告メッセージを処理するために、制御部４０（図２）が使用される。
【００１６】
第２ディスプレイ部２０は、折り畳み式の移動通信端末機が開いたとき、第１ディスプレイ部１０で実行中の作業と完全に別の作業を実行させることができるだけでなく、第１ディスプレイ部１０で実行中の複数の作業を示すリストを、アイコン、図形または文字の形でディスプレイすることもできる。
【００１７】
以下、本発明の第１実施形態による移動通信端末機の警告メッセージ処理装置について図２を参照して説明する。図２は、本発明の第１実施形態による移動通信端末機の警告メッセージ処理装置を示すブロック図である。
【００１８】
図２に示すように、本発明の第１実施形態による移動通信端末機の警告メッセージ処理装置は、警告メッセージを発生し、該発生した警告メッセージを出力する１つ以上のモジュール３０と、前記出力された警告メッセージを、第１ディスプレイ部１０で実行されるタスクの種類によって、第２ディスプレイ部２０に選択的にディスプレイさせる制御部４０とを含む。
【００１９】
ここで、警告メッセージは、お知らせメッセージと、結果メッセージと、応答メッセージとに分けられ、１つ以上のモジュール３０は、呼受信、メッセージ受信、アラーム、バッテリー容量を知らせるお知らせメッセージを発生する第１モジュール３１と、ファイルのアップロードまたはダウンロード、メッセージ送信の進行状況や結果を知らせる結果メッセージを発生する第２モジュール３３と、ＵＳＳＤ（Unstructured Supplementary Services Data）、ＩＭ／ＰＴＴ（Instant Message／Push To Talk）の設定結果に対する応答メッセージを発生する第３モジュール３５とを含む。
【００２０】
以下、このように構成された本発明の第１実施形態による移動通信端末機の警告メッセージ処理装置の動作を図３を参照して説明する。図３は、本発明の第１実施形態による移動通信端末機の警告メッセージ処理方法を示すフローチャートである。
【００２１】
図３に示すように、本発明の第１実施形態による移動通信端末機の警告メッセージ処理方法は、警告メッセージを発生し、該発生した警告メッセージを出力する段階（Ｓ４１）と、第１ディスプレイ部で実行されるタスクの種類を判断する段階（Ｓ４３）と、この判断の結果によって、前記出力された警告メッセージを第２ディスプレイ部に選択的にディスプレイする段階（Ｓ４５）とを含む。
【００２２】
以下、このような本発明による移動通信端末機の警告メッセージ処理方法をより詳しく説明する。
【００２３】
まず、本実施形態の移動通信端末機で使用者により複数のタスクが実行されるとき、モジュール３０は、非活性化されているタスクの状態による警告メッセージを発生し、該発生した警告メッセージを制御部４０に出力する（Ｓ４１）。
【００２４】
制御部４０は、警告メッセージの入力があると、第１ディスプレイ部１０で実行されているタスクの種類、即ち、画面占有タスクであるか否かを判断する（Ｓ４３）。ここで、画面占有タスクは、画像通話やＶｏＤ（Video on Demand）のように、ネットワークに連結され持続的な画面出力が要求されるタスクを示すもので、製造会社や使用者により予め設定される。
【００２５】
その後、制御部４０は、前記判断の結果によって、入力された警告メッセージを、第１又は第２ディスプレイ部１０，２０に選択的にディスプレイする。このとき、制御部４０は、第１ディスプレイ部１０で実行されているタスクが画面占有タスクのとき、入力された警告メッセージを第２ディスプレイ部２０にディスプレイし（Ｓ４５）、第１ディスプレイ部１０で実行されているタスクが画面占有タスクでないとき、該実行中のタスクを一時中断し、入力された警告メッセージを第１ディスプレイ部１０にディスプレイする（Ｓ４７）。
【００２６】
以下、本発明の第１実施形態による移動通信端末機の警告メッセージ処理方法において、様々な状況を知らせる警告メッセージが第２ディスプレイ部２０にディスプレイされる過程を詳細に説明する。
【００２７】
第１に、制御部４０は、第１モジュール３１による、呼受信、メッセージ受信、アラーム、バッテリー容量などを知らせるお知らせメッセージを受信し、該受信されたお知らせメッセージを第２ディスプレイ部２０にディスプレイする。
【００２８】
例えば、使用者は、第１ディスプレイ部１０を通して、ネットサーフィンをするインターネットサービスを実行する状態で、メッセージを受信することができる。このとき、制御部４０は、第２ディスプレイ部２０を通して、メッセージが受信されたことを知らせるお知らせメッセージをディスプレイする。従って、使用者は、現在実行中のインターネットサービスに妨害を受けずに、メッセージが受信されたことを第２ディスプレイ部２０を通して確認することができる。移動通信端末機に受信されるこのようなメッセージは、短文メッセージ（Short Message Service；SMS）、長文メッセージ（Long Message Service；LMS）、マルチメディアメッセージ（Multimedia Message Service；MMS）及び電子メールなどを含む。
【００２９】
第２に、制御部４０は、第２モジュール３３による、ファイルのアップロードまたはダウンロード、メッセージ送信などの進行状況や結果を知らせる結果メッセージを受信し、該受信された結果メッセージを第２ディスプレイ部２０にディスプレイする。
【００３０】
例えば、使用者は、第１ディスプレイ部１０を通して、インターネットを利用してファイルをダウンロードするとき、そのファイルのダウンロード時間の間に他のタスクを進行し続けるマルチタスキングをすることができる。即ち、使用者は、第１ディスプレイ部１０でファイルのダウンロードを開始した後に、メッセージを伝送するためのメッセージ機能を実行させることができる。従って、制御部４０は、ファイルのダウンロードが完了するとき、該ファイルのダウンロードの進行状況及び結果を知らせる警告メッセージを、第２ディスプレイ部２０にディスプレイする。ここで言うマルチタスキングは、何れか１つの作業に付随するかまたは補充することに局限されることを意味するのでなく、同等なレベルを有する別の作業を同時に複数個実行させることを意味する。例えば、実行されるタスクは、（１） オンラインゲーム、携帯インターネットサービス、ＶｏＤ機能、ファイルダウンロード機能のようなオンラインサービス、（２） チャット、インスタントメッセージ、文字メッセージ、マルチメディアメッセージ、電子メール機能のような各種のメッセージ機能、（３） 音声通話、画像通話のような通話機能、（４） 動画像撮影、静止画像撮影のようなカメラ機能、及び（５） スケジューラ、電話番号簿検索、電卓、メモ帳、通信内容録音、通信内容録画、端末機状態設定、カレンダー検索、世界時間表示、時計アラーム設定、動画像や音楽ファイルの再生のような各種の付加機能の何れか１つをいう。
【００３１】
第３に、制御部４０は、第３モジュール３５による、ＵＳＳＤ、ＩＭ／ＰＴＴなどの設定完了を知らせる応答メッセージを受信し、該受信された応答メッセージを第２ディスプレイ部２０にディスプレイする。
【００３２】
例えば、使用者は、第１ディスプレイ部１０を通して、ネットサーフィンをするインターネットサービスを実行する状態で、ＵＳＳＤ、ＩＭ／ＰＴＴサービスに対する応答メッセージを受信することができる。このとき、制御部４０は、受信した応答メッセージを第２ディスプレイ部２０にディスプレイする。このＵＳＳＤ及びＩＭ／ＰＴＴにおける応答メッセージは、使用者が、移動通信端末機を利用して、ネットワークを通して電話網システムに何らかの値を設定するとき（例えば、ＵＳＳＤの場合、サービス申請／解除動作である発信番号表示や発信番号表示禁止など、ＩＭ／ＰＴＴの場合、新しい使用者を電話網システムに登録する動作など）、このような設定に対する処理結果を知らせるメッセージを意味する。
【００３３】
以下、本発明の第２実施形態による移動通信端末機の警告メッセージ処理装置について図４を参照して説明する。図４は、本発明の第２実施形態による移動通信端末機の開状態を示す斜視図である。
【００３４】
図４に示すように、本発明の第２実施形態による移動通信端末機は、別途に設置された複数のディスプレイ装置をそれぞれディスプレイ部として利用する本発明の第１実施形態による移動通信端末機とは異なり、１つのディスプレイ装置を予め決定された大きさの領域に分割することにより複数のディスプレイ部を形成する。
【００３５】
このような本発明の第２実施形態による移動通信端末機の警告メッセージ処理装置の動作原理は、本発明の第１実施形態による移動通信端末機の警告メッセージ処理装置で説明された内容と同様であるので、これに関する説明は省略する。
【図面の簡単な説明】
【００３６】
【図１】本発明の第１実施形態による移動通信端末機の開状態を示す斜視図である。
【図２】本発明の第１実施形態による移動通信端末機の警告メッセージ処理装置を示すブロック図である。
【図３】本発明の第１実施形態による移動通信端末機の警告メッセージ処理方法を示すフローチャートである。
【図４】本発明の第２実施形態による移動通信端末機の開状態を示す斜視図である。
【図５】従来の移動通信端末機の開状態を示す斜視図である。
【符号の説明】
【００３７】
１０  第１ディスプレイ部
２０  第２ディスプレイ部
３０  モジュール
３１  第１モジュール
３３  第２モジュール
３５  第３モジュール
４０  制御部
【図１】
2006148895.tif 000003
【図２】
2006148895.tif 000004
【図３】
2006148895.tif 000005
【図４】
2006148895.tif 000006
【図５】
2006148895.tif 000007